(57)【要約】  設備機器を管理する設備管理装置（２０）は、表示情報生成部（５２２）とタッチパネル（５１）と制御情報生成部（５２３）とを有する。表示情報生成部（５２２）が、設備機器の現在の運転内容を示す図形情報を表示する第１エリアと、当該運転内容を示すテキスト情報を表示する第２エリアとを並べて表示させる表示情報を生成してタッチパネル（５１）に表示させ、表示された第１エリアおよび第２エリア内のいずれかの位置が操作されると、制御情報生成部（５２３）が、操作に基づいて設備機器の運転内容を変更する制御情報を生成し、表示情報生成部（５２２）が、第１エリアおよび第２エリアの表示内容を変更する。
2019229929.tif 000002
【特許請求の範囲】
【請求項１】
管理対象の設備機器の現在の運転内容を示す情報を異なる形態で表示する第１エリアと第２エリアとを並べて表示させる表示情報を生成する表示情報生成部と、
前記表示情報生成部で生成された表示情報を表示するとともに、表示した前記表示情報内のいずれかの位置におけるタッチ操作を検出するタッチパネルと、を備え、
前記表示情報生成部は、前記タッチパネルでタッチ操作が検出されると、前記第１エリアおよび前記第２エリアの表示情報を変更する
ことを特徴とする設備管理装置。
【請求項２】
前記第１エリアには、前記設備機器の運転内容を示す図形情報を表示し、第２エリアには、当該運転内容を示すテキスト情報を表示する
ことを特徴とする請求項１に記載の設備管理装置。
【請求項３】
前記表示情報生成部は、前記タッチパネルでタッチ操作が検出される都度、前記第１エリアおよび前記第２エリアの表示情報を段階的に変更することを特徴とする請求項１または２のいずれかに記載の設備管理装置。
【請求項４】
前記表示情報生成部は、前記タッチパネルでタッチ操作が検出される都度、前記第１エリアおよび前記第２エリアの表示情報をサイクリックに変更する
ことを特徴とする請求項１ないし３のいずれか１項に記載の設備管理装置。
【請求項５】
前記表示情報生成部は、前記第１エリアと前記第２エリアとを、横方向に並べて表示情報を生成する
ことを特徴とする請求項１ないし４のいずれか１項に記載の設備管理装置。
【請求項６】
前記第１エリアおよび前記第２エリアの横幅を12ｍｍ以上にした
ことを特徴とする請求項１ないし５のいずれか１項に記載の設備管理装置。
【請求項７】
前記タッチパネルでタッチ操作が検出されると、前記設備機器の運転内容を変更する制御情報を生成する制御情報生成部と、
前記制御情報生成部が生成した制御情報を前記設備機器に送信する通信部とをさらに備えた
ことを特徴とする請求項１ないし６のいずれか１項に記載の設備管理装置。
【請求項８】
管理対象の空調機の現在の風量を示す図形情報を表示する風量第１エリアと、当該風量を示すテキスト情報を表示する風量第２エリアとを並べて表示させる表示情報を生成する表示情報生成部と、
前記表示情報生成部で生成された表示情報を表示するとともに、表示した表示情報内のいずれかの位置におけるタッチ操作を検出するタッチパネルと、を備え、
前記表示情報生成部は、前記タッチパネルでタッチ操作が検出される都度、前記風量第１エリアおよび前記風量第２エリアの表示情報を変更する
ことを特徴とする設備管理装置。
【請求項９】
設備機器を管理する設備管理装置が、
前記設備機器の運転内容を異なる形態で表示する第１エリアと第２エリアとを並べて表示させる表示情報を生成する表示情報生成ステップと、
生成された表示情報をタッチパネルに表示する表示ステップと、
前記タッチパネルでタッチ操作が検出されると、前記第１エリアおよび前記第２エリアの表示情報を変更する表示情報変更ステップと
を有することを特徴とする管理画面生成方法。
【請求項１０】
前記表示情報生成ステップ及び前記表示情報変更ステップにおいて、第１エリアおよび第２エリアの一方には、前記設備機器の運転内容を示す図形情報を表示し、他方には、当該運転内容を示すテキスト情報を表示する
ことを特徴とする請求項９記載の管理画面生成方法。
【発明の詳細な説明】
【技術分野】
【０００１】
本発明の実施形態は、タッチパネルを用いた設備管理装置および管理画面生成方法に関する。
【背景技術】
【０００２】
一般的に、空調機は、通信可能に接続されたリモートコントロール装置を用いてユーザにより運転内容が操作される。空調機のリモートコントロール装置には、当該空調機の各機能に関する運転内容を操作するための操作ボタンと、各機能に関する運転内容等を表示するための表示部とが別箇に設置されている。ユーザは、リモートコントロール装置の操作ボタンを操作したときに、表示部に表示された該当機能の運転内容に関する表示情報が変化したことを視認することで、当該操作が正常に受け付けられたことを認識することができる。
【先行技術文献】
【特許文献】
【０００３】
【特許文献１】特許第５６４６７９７号公報
【発明の概要】
【０００４】
近年は、空調機の運転内容を操作するリモートコントロール装置に、静電容量式等のタッチパネルが多く用いられている。タッチパネルを用いたリモートコントロール装置では、機能によっては、運転内容を示す表示情報の位置が、当該機能に関する操作ボタンとして設定されている。この場合ユーザは、タッチパネル上で当該運転内容の表示位置をタッチ操作することで、簡易に当該機能の運転内容を変更させることができる。
【０００５】
しかし、所定機能に関する運転内容の表示情報と当該機能の操作ボタンとが同じ位置に設定されていると、タッチ操作時に当該表示情報がユーザの指で隠れてしまうため、操作による表示情報の変化をユーザが視認することができない。表示情報の変化を視認することができないと、ユーザは当該操作が正常に受け付けられたか不安に感じることがある。
【０００６】
これに鑑み、運転内容の表示情報を大きくし、タッチ操作時にその一部が指からはみ出すようにすれば表示情報の変化をユーザに認識させることができる可能性もあるが、確実ではない。また、タッチパネルの大きさには制限があるため、すべての機能に関する表示情報を極端に大きくすることは困難である。
【０００７】
発明は上記事情に鑑みてなされたものであり、ユーザがタッチパネル上で設備機器の運転内容を操作する際に、操作による運転内容の変化を視認できるようにするための設備管理装置および管理画面生成方法を提供することを目的とする。
【０００８】
上記目的を達成するために、実施形態に係る空調機のリモートコントロール装置は、表示情報生成部とタッチパネルと操作内容判定部と動作制御情報生成部とを有する。表示情報生成部は、設備機器の現在の運転内容を示す図形情報を表示する第１エリアと、当該運転内容を示すテキスト情報を表示する第２エリアとを並べて表示させる表示情報を生成し、運転内容を変更するための操作が行われると、変更後の運転内容に基づいて図形情報およびテキスト情報を変更する。タッチパネルは、生成された表示情報を表示し、表示された第１エリアおよび第２エリア内のいずれかの位置が操作されると該当する操作情報を入力する。操作内容判定部は、入力された操作情報に基づいて該当する操作内容を判定する。動作制御情報生成部は、判定された操作内容に基づいて設備機器の運転内容を変更するための動作制御情報を生成する。
【図面の簡単な説明】
【０００９】
【図１】図１は、本発明の一実施形態に係る設備管理装置としてのタブレット端末を利用した空調システムを示す全体図である。
【図２】図２は、本発明の一実施形態に係る設備管理装置としてのタブレット端末の構成を示すブロック図である。
【図３】図３は、本発明の一実施形態に係る設備管理装置としてのタブレット端末に表示された全空調機管理画面の一例である。
【図４】図４は、本発明の一実施形態に係る設備管理装置としてのタブレット端末に表示された横長の個別空調機管理画面の一例である。
【図５】図５は、本発明の一実施形態に係る設備管理装置としてのタブレット端末に表示された個別空調機管理画面内の風量変更ボタン情報位置における表示情報の遷移図である。
【図６】図６は、本発明の一実施形態に係る設備管理装置としてのタブレット端末に表示された個別空調機管理画面内の風向変更ボタン情報位置における表示情報の遷移図である。
【図７】図７は、本発明の一実施形態に係る設備管理装置としてのタブレット端末に表示された縦長の個別空調機管理画面の一例である。
【発明を実施するための形態】
【００１０】
〈一実施形態による設備管理装置を用いた空調システムの構成〉
本発明の一実施形態として、タブレット端末を用いた空調システムの構成について、図１を参照して説明する。本実施形態による空調システム１は、１０階建ての建物内に設置された、管理対象の複数の空調機（室内機）１０−１〜１０−１００と、これらの空調機１０−１〜１０−１００に接続された中央管理装置としてのコントローラ２０と、コントローラ２０にハブ３０を介して接続された無線通信のアクセスポイント４０−１〜４０−３と、アクセスポイント４０−１に無線接続されたタブレット端末５０−１と、アクセスポイント４０−２に無線接続されたタブレット端末５０−２と、アクセスポイント４０−３に無線接続されたタブレット端末５０−３とを備える。タブレット端末５０−１〜５０−３は、当該空調システム１の管理者により操作される。なお、当該空調システム１内で用いられるタブレット端末は、１台でも良い。
【００１１】
当該建物内の１階にはＡ店舗が入居しており、Ａ店舗内に空調機１０−１〜１０−１０が設置されている。また、２階にはＢ店舗が入居しており、Ｂ店舗内に空調機１０−１１〜１０−２０が設置されている。同様にして、３階〜１０階にはそれぞれＣ店舗〜Ｊ店舗が入居しており、それぞれの店舗内に空調機１０−２１〜１０−３０・・・１０−９１〜１０−１００が設置されている。
【００１２】
各空調機１０−１〜１０−１００は、冷房機能、暖房機能、送風機能、および除湿機能を有しているが、冷房機能と送風機能のみを備える場合もある。また、空調機１０−１〜１０−１００は、これらの機能による運転を行う際に、送風の風向が５段階で変更可能になるように構成されるとともに、送風の風量が５段階で変更可能になるように構成されている。
【００１３】
この空調システム１においては、建物内に設置された複数の空調機１０−１〜１０−１００が設備機器に該当し、タブレット端末５０−１〜５０−３が設備管理装置に該当する。
【００１４】
以下、空調機１０−１〜１０−１００に関し、これらの中のいずれかを特定する必要がない場合には「空調機１０」と記載する。同様に、タブレット端末５０−１〜５０−３に関し、これらの中のいずれかを特定する必要がない場合には「タブレット端末５０」と記載する。同様に、アクセスポイント４０−１〜４０−３に関し、これらの中のいずれかを特定する必要がない場合には「アクセスポイント４０」と記載する。
【００１５】
コントローラ２０は、空調機１０−１〜１０−１００と通信を行うことにより、必要に応じて空調機１０−１〜１０−１００の動作を制御するための動作制御情報を送信するとともに、空調機１０−１〜１０−１００の稼動状態情報を所定時間間隔で取得する。
【００１６】
各タブレット端末５０はそれぞれ、図２に示すように、タッチパネル５１と、ＣＰＵ５２と、通信部５３とを有する。タッチパネル５１は、操作情報検出部５１１と、表示部５１２とを有する。操作情報検出部５１１は、タッチパネル５１上での管理者の指などの接触による操作を検出する。表示部５１２は、後述する表示情報生成部５２２で生成される空調機１０−１〜１０−１００の管理画面を表示する。
【００１７】
ＣＰＵ５２は、操作内容判定部５２１と、表示情報生成部５２２と、動作制御情報生成部５２３とを有する。操作内容判定部５２１は、操作情報検出部５１１で検出された操作情報および表示部５１２に表示された表示情報に基づいて、管理者が行った操作内容を判定する。操作内容としては例えば、管理操作の対象とする空調機を指定する操作、指定した空調機の運転内容を変更する操作等がある。表示情報生成部５２２は、操作内容判定部５２１で判定された操作内容に基づいて、表示部５１２に表示させるための表示情報を生成する。動作制御情報生成部５２３は、操作内容判定部５２１で判定された操作内容に基づいて、操作対象の空調機１０の動作制御情報を生成する。通信部５３は、アクセスポイント４０を介してコントローラ２０との通信を行う。
〈一実施形態による設備管理装置を用いた空調システムの動作〉
次に、本実施形態による空調システム１の動作について説明する。空調システム１内では、コントローラ２０により、空調機１０−１〜１０−１００の稼動状態情報が所定時間間隔で取得され保持されている。
【００１８】
管理者がタブレット端末５０を用いて空調機１０−１〜１０−１００の管理作業を行う際には、表示情報生成部５２２においてコントローラ２０から最新の空調機１０−１〜１０−１００の稼動状態情報が取得され、これらの情報を用いて全空調機管理画面６０の表示情報が生成される。
【００１９】
全空調機管理画面６０は、図３に示すように、１階（Ａ店舗）〜１０階（Ｊ店舗）それぞれに対応した、エリア表示部６１−１〜６１−１０および空調機アイコン表示部６２−１〜６２−１０を有する。１階に対応するエリア表示部６１−１内にはテキスト情報「１階（店舗Ａ）」が配置され、空調機アイコン表示部６２−１内には、１階に設置された空調機１０−１〜１０−１０それぞれに対応する空調機アイコン６３−１〜６３−１０が配置される。また、２階に対応するエリア表示部６１−２内には、テキスト情報「２階（店舗Ｂ）」が配置され、空調機アイコン表示部６２−２内には、２階に設置された空調機１０−１１〜１０−２０それぞれに対応する空調機アイコン６３−１１〜６３−２０が配置される。同様にして、３階〜１０階に対応するエリア表示部６１−３〜６１−１０内にはそれぞれ、テキスト情報「３階（店舗Ｃ）」〜「１０階（店舗Ｊ）」が配置され、空調機アイコン表示部６２−３〜６２−１０内にはそれぞれ、対応する空調機１０−２１〜１０−３０・・・１０−９１〜１０−１００に対応する空調機アイコン６３−２１〜６３−３０・・・６３−９１〜６３−１００が配置される。
【００２０】
これらの空調機アイコン６３−１〜６３−１００はそれぞれ、対応する空調機１０−１〜１０−１００のON／OFFを制御するための操作スイッチとして機能する。なお、これらのエリア表示部および空調機アイコン表示部の表示情報は、管理対象とする建物の階床数や空調機の設置台数に応じて適宜変更される。
【００２１】
生成された全空調機管理画面６０の表示情報は、タッチパネル５１の表示部５１２に送出されて表示される。なお、図３においては、表示部５１２内に全空調機管理画面６０の全情報を表示しきれないため、全空調機管理画面６０内の１階〜３階に対応する情報のみが表示されている。現在表示されていない階に対応する情報は、画面右端のスクロールバー７０が操作されることで、全空調機管理画面６０内の表示領域が移動され表示される。
【００２２】
本実施形態においては、１つの空調機アイコンに対して１台の空調機を対応させた場合を示しているが、これには限定されず、１つの空調機アイコンに対して複数台の空調機を対応させてもよい。１つの空調機アイコンに対して複数台の空調機を対応させた場合は、当該空調機アイコンを操作することにより、対応する複数台の空調機の動作を一括して制御することができる。
【００２３】
このように表示された全空調機管理画面６０において、管理者がいずれかの空調機アイコン、例えば空調機アイコン６３−１１上で所定の操作（例えば、ダブルタップ操作）を行うと、表示情報生成部５２２により該当する空調機１０−１１の詳細な運転内容を操作するための個別空調機管理画面８０Ａが生成され、表示部５１２に表示される。
【００２４】
表示部５１２に表示された個別空調機管理画面８０Ａの一例を、図４に示す。図４の個別空調機管理画面８０Ａは横長に構成されており、電源ボタン情報８０１と、自動運転モードボタン情報８０２と、冷房モードボタン情報８０３と、暖房モードボタン情報８０４と、送風モードボタン情報８０５と、除湿モードボタン情報８０６と、設定温度情報８０７と、設定温度変更ボタン情報８０８と、風向変更ボタン情報８０９と、風量変更ボタン情報８１０と、ロックボタン情報８１１と、オプションボタン情報８１２とが表示されている。
【００２５】
電源ボタン情報８０１は、該当する空調機１０−１１の現在の電源ON／OFF状態を示す図形情報と、テキスト情報「ON」および「OFF」とで構成され、電源ONのときには図形情報およびテキスト情報「ON」が点灯し、電源OFFのときにはテキスト情報「OFF」のみが点灯する。自動運転モードボタン情報８０２は、自動運転モードを示す当該図形情報およびテキスト情報「Auto」で構成され、自動運転モードで運転しているときに当該図形情報およびテキスト情報が点灯する。冷房モードボタン情報８０３は、冷房モードを示す図形情報およびテキスト情報「cold」で構成され、冷房ボードで運転しているときに当該図形情報およびテキスト情報が点灯する。暖房モードボタン情報８０４は、暖房モードを示す図形情報およびテキスト情報「heat」で構成され、暖房ボートで運転しているときに当該図形情報およびテキスト情報が点灯する。送風モードボタン情報８０５は、送風モードを示す図形情報およびテキスト情報「fan」で構成され、送風モードで運転しているときに当該図形情報およびテキスト情報が点灯する。除湿モータボタン情報８０６は、除湿モードを示す図形情報およびテキスト情報「dry」で構成され、除湿モードで運転しているときに当該図形情報およびテキスト情報が点灯する。
【００２６】
設定温度情報８０７は、該当する空調機１０−１１の現在の設定温度を示すテキスト情報「２３．５℃」で構成される。設定温度変更ボタン情報８０８は、該当する空調機１０の設定温度を所定値ずつ上昇させるための上矢印の図形情報８０８−１と、設定温度を所定値ずつ下降させるための下矢印の図形情報８０８−２とで構成される。
【００２７】
風向変更ボタン情報８０９は、現在の風向を示す図形情報を表示する風向第１エリア８０９−１と、現在の風向を示すテキスト情報「F1」を表示する風向第２エリア８０９−２とが、横方向に並べられて構成されている。風向第１エリア８０９−１および風向第２エリア８０９−２はそれぞれ、人間の人差し指と同程度の横幅を有している。人間の人差し指の横幅は、例えば、IEC61032の規格で示される一般的な大人の指直径（１２mm）よりも大きいことが望ましい。このサイズにすることで、管理者が風向第１エリア８０９−１および風向第２エリア８０９−２のいずれか一方をタッチしても、他方のエリアの表示を視認することができる。ただし、画面の大きさに制限がある場合には、丁度指直径となる１２mmとする。
【００２８】
風量変更ボタン情報８１０は、現在の風量を示す図形情報を表示する風量第１エリア８１０−１と、現在の風量を示すテキスト情報「H+」を表示する風量第２エリア８１０−２とが、横方向に並べられて構成されている。風量第１エリア８１０−１および風量第２エリア８１０−２はそれぞれ、上述した風向第１エリア８０９−１および風向第２エリア８０９−２と同様に、人間の人差し指程度の横幅を有している。なお、風量第１エリア８１０−１と風量第２エリア８１０−２とは、完全に接している必要はなく、図４に示すようにわずかな隙間を開けて近接配置されていてもよい。
【００２９】
ロックボタン情報８１１は、上述したすべてのボタン情報（８０１〜８１０）の操作を受け付けない状態に設定する操作に対応する図形情報およびテキスト情報「lock」で構成される。オプションボタン情報８１２は、当該空調機１０に関するオプション機能を設定する操作に対応する図形情報およびテキスト情報「option」で構成される。
【００３０】
これらの情報が表示された状態で、個別空調機管理画面８０Ａ上で管理者によりいずれかのボタン情報の位置がタッチ操作されると、操作情報検出部５１１により、当該操作情報が検出される。そして、操作内容判定部５２１により、操作情報検出部５１１で検出された操作情報および表示部５１２に表示された表示情報に基づいて、管理者が行った操作内容が判定される。つまり、どのボタンが操作されたかが判定される。操作内容判定部５２１で操作内容が判定されると、動作制御情報生成部５２３において、判定された操作内容に基づいて操作対象の空調機１０−１１の運転内容を変更する動作制御情報が生成される。生成された動作制御情報は、通信部５３およびコントローラ２０を介して該当する空調機１０−１１に送信され、運転内容が変更される。
【００３１】
また、操作内容判定部５２１で操作内容が判定されたときには、表示情報生成部５２２により、判定された操作内容に基づいて個別空調機管理画面８０Ａ内の該当するボタン情報が変更される。例えば、個別空調機管理画面８０Ａ上で、電源ボタン情報８０１〜除湿モードボタン情報８０６のいずれかが操作されたときには、表示情報生成部５２２により、該当するボタン情報が点灯される。
【００３２】
また、個別空調機管理画面８０Ａ上で、ロックボタン情報８１１またはオプションボタン情報８１２が操作されたときには、表示情報生成部５２２によりさらに詳細設定を行うためのポップアップ画面が表示され、当該画面で操作された内容が操作内容判定部５２１で判定されることで、動作制御情報生成部５２３により動作制御情報が生成されて該当する空調機の運転内容が変更される。
【００３３】
個別空調機管理画面８０Ａの右側と左側には、現在表示している空調機１０−１１の前後の空調機番号に対応する個別空調機管理画面のごく一部が表示される。図４内の左側の個別空調機管理画面８２Ａは、空調機１０−１０に対応する個別空調機管理画面の端部であり、右側の個別空調機管理画面８１Ａは、空調機１０−１２の個別空調機管理画面の端部である。これらの画面情報が表示されたタッチパネル５１上で管理者が右方向にフリック操作することで、左側にある空調機１０−１０の個別空調機管理画面８２Ａを中央に移動させることができる。同様に、タッチパネル５１上で管理者が左方向にフリック操作することで、左側にある空調機１０−１２の個別空調機管理画面８１Ａを中央に移動させることができる。
【００３４】
ここで、空調機１０−１１が最大風量で運転しているときに、個別空調機管理画面８０Ａ上で風量変更ボタン情報８１０が操作された場合に実行される処理について説明する。以下の説明において、空調機１０の運転で設定可能な５段階の風量について、最大風量から最小風量まで順に、第１風量（High+）、第２風量（High）、第３風量（Middle）、第４風量（Low）、第５風量（Low-）として説明する。本実施形態において動作制御情報生成部５２３には、風量変更操作が行われる都度、該当する空調機１０の風量を段階的に小さくし、最小風量（第５風量）で運転しているときに風量変更操作が行われると、自動で風量が調整される自動風量運転（Auto）に移行し、自動風量運転中に風量変更操作が行われると、最大風量（第１風量）に戻すように、サイクリックに変更処理を行うための風量制御情報の生成基準が設定されている。図５に、風量変更操作が行われる都度、変更される個別空調機管理画面８０Ａ内の風量変更ボタン情報８１０の表示情報の遷移を示す。
【００３５】
まず、現在空調機１０−１１が最大風量である第１風量（High+）で運転している場合には、図５のＸ1のように、個別空調機管理画面８０Ａ内の風量変更ボタン情報８１０内の風量第１エリア８１０−１には第１風量（High+）に対応する図形情報が表示され、風量第２エリア８１０−２には第１風量（High+）に対応するテキスト情報「H+」が表示される。
【００３６】
そして、風量変更ボタン情報８１０の風量第１エリア８１０−１および風量第２エリア８１０−２内のいずれかの位置がタッチ操作されると、当該操作情報が操作情報検出部５１１で検出される。そして、操作内容判定部５２１により、操作情報検出部５１１で検出された操作情報および表示部５１２に表示された表示情報に基づいて、風量変更操作が行われたと判定される。
【００３７】
風量変更操作が行われたと判定されると、動作制御情報生成部５２３において、操作対象の空調機１０−１１の風量を変更するための動作制御情報である風量制御情報が、上述した生成基準に従って生成される。ここでは、現在空調機１０−１１に設定されている第１風量（High+）よりも一段階低いレベルの風量である第２風量（High）に変更するための風量制御情報が生成される。生成された風量制御情報は、通信部５３およびコントローラ２０を介して該当する空調機１０−１１に送信される。空調機１０−１１では、風量の設定が第２風量（High）に変更されて運転が継続される。
【００３８】
また、操作内容判定部５２１で風量変更操作が行われたと判定されると、表示情報生成部５２２により、個別空調機管理画面８０Ａ内の風量変更ボタン情報８１０の表示情報が、Ｘ2に示すように変更される。具体的には、風量第１エリア８１０−１の表示情報が第２風量（High）に対応する図形情報に変更されるとともに、風量第２エリア８１０−２の表示情報が第２風量（High）に対応するテキスト情報「H」に変更される。
【００３９】
同様にして、空調機１０−１１が第２風量（High）で運転しているときに、風量第１エリア８１０−１および風量第２エリア８１０−２内のいずれかの位置がタッチ操作されると、動作制御情報生成部５２３で生成される制御情報に基づいて、当該空調機１０−１１の風量が第３風量（Middle）に変更される。また、表示情報生成部５２２により、風量第１エリア８１０−１および風量第２エリア８１０−２の表示情報が、Ｘ3に示すように第３風量（Middle）に対応した情報に変更される。
【００４０】
また、空調機１０−１１が第３風量（Middle）で運転しているときに、風量第１エリア８１０−１および風量第２エリア８１０−２内のいずれかの位置がタッチ操作されると、動作制御情報生成部５２３で生成される制御情報に基づいて、当該空調機１０−１１の風量が第４風量（Low）に変更される。また、表示情報生成部５２２により、風量第１エリア８１０−１および風量第２エリア８１０−２の表示情報が、Ｘ4に示すように第４風量（Low）に対応した情報に変更される。
【００４１】
また、空調機１０−１１が第４風量（Low）で運転しているときに、風量第１エリア８１０−１および風量第２エリア８１０−２内のいずれかの位置がタッチ操作されると、動作制御情報生成部５２３で生成される制御情報に基づいて、当該空調機１０−１１の風量が第５風量（Low-）に変更される。また、表示情報生成部５２２により、風量第１エリア８１０−１および風量第２エリア８１０−２の表示情報が、Ｘ5に示すように第５風量（Low-）に対応した情報に変更される。
【００４２】
また、空調機１０−１１が第５風量（Low-）で運転しているときに、風量第１エリア８１０−１および風量第２エリア８１０−２内のいずれかの位置がタッチ操作されると、動作制御情報生成部５２３で生成される制御情報に基づいて、当該空調機１０が自動風量運転（Auto）に変更される。また、表示情報生成部５２２により、風量第１エリア８１０−１および風量第２エリア８１０−２の表示情報が、Ｘ6に示すように自動風量運転（Auto）に対応した情報に変更される。
【００４３】
また、空調機１０−１１が自動風量運転しているときに、風量第１エリア８１０−１および風量第２エリア８１０−２内のいずれかの位置がタッチ操作されると、動作制御情報生成部５２３で生成される制御情報に基づいて、当該空調機１０の風量が第１風量（High+）に変更される。また、表示情報生成部５２２により、風量第１エリア８１０−１および風量第２エリア８１０−２の表示情報が、Ｘ1に示すように第１風量（High+）に対応した情報に変更される。
【００４４】
なお、風量第１エリア８１０−１および風量第２エリア８１０−２内のいずれかの位置が、所定時間（例えば０．５秒）内に複数回タッチ操作されると、操作内容判定部５２１において当該操作内容が都度判定される。そして、動作制御情報生成部５２３において、当該所定時間内のタッチ操作の回数に応じて変更後の風量が決定され、決定された風量に変更するための風量制御情報が該当する空調機１０に送信される。例えば、空調機１０が第１風量（High+）で運転しているときに、風量第１エリア８１０−１および風量第２エリア８１０−２内のいずれかの位置が極めて短い時間間隔で３回タッチ操作された場合には、動作制御情報生成部５２３において変更後の風量が第４風量（Low）に決定され、第４風量（Low）に変更するための風量制御情報が空調機１０に送信される。
【００４５】
一方、表示情報生成部５２２は、操作内容判定部５２１において当該操作内容が判定されたとき、すなわち、タッチ操作の都度、風量第１エリア８１０−１および風量第２エリア８１０−２の表示情報が、第１風量（High+）に対応した情報→第２風量（High）に対応した情報→第３風量（Middle）に対応した情報→第４風量（Low）に対応した情報に、順次変更される。
【００４６】
このように、短時間における繰り返し操作については、動作制御情報生成部５２３における制御情報の生成処理および出力処理と、表示情報生成部５２２における表示情報の変更処理とが、操作内容判定部５２１で判定された操作内容に基づいて別箇のタイミングでそれぞれ実行される。なお、空調システム１中の通信データ量が多くなることが許容されるのであれば、表示情報の変更と同様にタッチ操作の都度、制御情報を生成し送信しても良い。
【００４７】
また、個別空調機管理画面８０Ａ上で、風向変更ボタン情報８０９に対応する風向第１エリア８０９−１および風向第２エリア８０９−２内のいずれかの位置が操作されたときにも、操作の都度、該当する空調機１０−１１の風向が段階的に変更されるとともに、風向第１エリア８０９−１および風向第２エリア８０９−２の表示情報が変更される。
【００４８】
空調機１０−１１の風向が最上方向で運転しているときに、個別空調機管理画面８０Ａ上で風向変更ボタン情報８０９が操作された場合に実行される処理について説明する。以下の説明において、空調機１０の運転で設定可能な５段階の風向について、最上方向から最下方向まで順に、第１方向（F1）、第２方向（F2）、第３方向（F3）、第４方向（F4）、第５方向（F5）として説明する。本実施形態において動作制御情報生成部５２３には、風向変更操作が行われる都度、該当する空調機１０の風向を段階的に下方向に変更し、最下方向（第５方向）で運転しているときに風向変更操作が行われると、風向を第１方向から第５方向の間で行き来させるスイング運転（SWING）に移行し、スイング運転中に風向変更操作が行われると、第１方向（F1）に戻すように、サイクリックに変更処理を行うための風向制御情報の生成基準が設定されている。図６に、風向変更操作が行われる都度、変更される個別空調機管理画面８０Ａ内の風向変更ボタン情報８０９の表示情報の遷移を示す。
【００４９】
まず、現在空調機１０−１１の風向が最上方向である第１方向（F1）で運転している場合には、図６のＹ1のように、個別空調機管理画面８０Ａ内の風向変更ボタン情報８０９位置の風向第１エリア８０９−１に第１方向に対応する図形情報が表示され、風向第２エリア８０９−２に第1方向に対応するテキスト情報「F1」が表示される。
【００５０】
そして、風向変更ボタン情報８０９に対応する風向第１エリア８０９−１および風向第２エリア８０９−２内のいずれかの位置がタッチ操作されると、操作情報検出部５１１により、当該操作情報が検出される。そして、操作内容判定部５２１により、操作情報検出部５１１で検出された操作情報および表示部５１２に表示された表示情報に基づいて、風向変更操作が行われたと判定される。
【００５１】
風向変更操作が行われたと判定されると、動作制御情報生成部５２３において、操作対象の空調機１０−１１の風向を変更するための動作制御情報である風向制御情報が、上述した生成基準に従って生成される。ここでは、現在空調機１０−１１に設定されている第１方向（Ｆ1）よりも一段階下向きの第２方向（Ｆ2）に変更するための風向制御情報が生成される。生成された風向制御情報は、通信部５３およびコントローラ２０を介して該当する空調機１０−１１に送信される。空調機１０−１１では、風向の設定が第２方向（Ｆ2）に変更されて運転が継続される。
【００５２】
また、操作内容判定部５２１で風向変更操作が行われたと判定されると、表示情報生成部５２２により、個別空調機管理画面８０Ａ内の風向変更ボタン情報８０９の表示情報が、Ｙ2に示すように変更される。具体的には、風向第１エリア８０９−１の表示情報が第２方向に対応する図形情報に変更されるとともに、風向第２エリア８０９−２の表示情報が第２方向に対応するテキスト情報「F2」に変更される。
【００５３】
同様にして、空調機１０−１１が第２方向（Ｆ2）で運転しているときに、風向第１エリア８０９−１および風向第２エリア８０９−２内のいずれかの位置がタッチ操作されると、当該空調機１０−１１の風向が第３方向（Ｆ3）に変更されるとともに、個別空調機管理画面８０Ａ内の風向第１エリア８０９−１および風向第２エリア８０９−２の表示情報が、Ｙ3に示すように第３方向（Ｆ3）に対応した情報に変更される。
【００５４】
また、空調機１０−１１が第３方向（Ｆ3）で運転しているときに、風向第１エリア８０９−１および風向第２エリア８０９−２内のいずれかの位置がタッチ操作されると、当該空調機１０−１１の風向が第４方向（Ｆ4）に変更されるとともに、個別空調機管理画面８０Ａ内の風向第１エリア８０９−１および風向第２エリア８０９−２の表示情報が、Ｙ4に示すように第４方向（Ｆ4）に対応した情報に変更される。
【００５５】
また、空調機１０−１１が第４方向（Ｆ4）で運転しているときに、風向第１エリア８０９−１および風向第２エリア８０９−２内のいずれかの位置がタッチ操作されると、当該空調機１０−１１の風向が第５方向（Ｆ5）に変更されるとともに、個別空調機管理画面８０Ａ内の風向第１エリア８０９−１および風向第２エリア８０９−２の表示情報が、Ｙ5に示すように第５方向（Ｆ5）に対応した情報に変更される。
【００５６】
また、空調機１０−１１が第５方向（Ｆ5）で運転しているときに、風向第１エリア８０９−１および風向第２エリア８０９−２内のいずれかの位置がタッチ操作されると、当該空調機１０がスイング運転（SWING）に変更されるとともに、個別空調機管理画面８０Ａ内の風向第１エリア８０９−１および風向第２エリア８０９−２の表示情報が、Ｙ6に示すようにスイング運転（SWING）に対応した情報に変更される。
【００５７】
また、空調機１０−１１がスイング運転しているときに、風向第１エリア８０９−１および風向第２エリア８０９−２内のいずれかの位置がタッチ操作されると、当該空調機１０の風向が第１方向（Ｆ1）に変更されるとともに、個別空調機管理画面８０Ａ内の風向第１エリア８０９−１および風向第２エリア８０９−２の表示情報が、Ｙ1に示すように第1方向（Ｆ1）に対応した情報に変更される。
【００５８】
また、風向第１エリア８０９−１および風向第２エリア８０９−２内のいずれかの位置が、所定時間（例えば０．５秒）内に複数回タッチ操作されると、操作内容判定部５２１において当該操作内容が都度判定される。そして、動作制御情報生成部５２３において、当該所定時間内のタッチ操作の回数に応じて変更後の風向が決定され、決定された風向に変更するための風向制御情報が該当する空調機１０に送信される。例えば、空調機１０が第１方向（Ｆ１）で運転しているときに、風向第１エリア８０９−１および風向第２エリア８０９−２内のいずれかの位置が極めて短い時間間隔で３回タッチ操作された場合には、動作制御情報生成部５２３において変更後の風向が第４方向（Ｆ４）に決定され、第４方向（Ｆ４）に変更するための風向制御情報が空調機１０に送信される。
【００５９】
この際、表示情報生成部５２２は、操作内容判定部５２１において当該操作内容が都度判定されたとき、すなわち、タッチ操作の都度、風向第１エリア８０９−１および風向第２エリア８０９−２の表示情報が、第１方向（Ｆ１）に対応した情報→第２方向（Ｆ２）に対応した情報→第３方向（Ｆ３）に対応した情報→第４方向（Ｆ４）に対応した情報に、都度、変更される。
【００６０】
このように、風量変更ボタン情報８１０および風向変更ボタン情報８０９内のいずれかの位置がタッチ操作されると、テキスト情報の表示エリアおよび図形情報の表示エリア双方の表示情報が変更される。そのため、管理者が図形情報の表示エリアをタッチ操作して当該エリアの図形情報の表示情報が指で隠れていても、テキスト情報の表示情報は隠れていないため、テキスト情報が変わったことを視認することができる。また、管理者がテキスト情報の表示エリアをタッチ操作して当該エリアの表示情報が指で隠れていても、図形情報の表示情報は隠れていないため、図形情報が変わったことを視認することができる。これらの変更を視認したことにより、管理者は、風量変更または風向変更の操作が正常に受け付けられたことを認識することができる。ここで、テキスト情報とは文字情報であり、アルファベット、アラビア数字、ひらがな、カタカナ、及びこれらの組み合わせで構成される情報である。
【００６１】
これに対し、ボタン情報の操作時にボタン情報の点灯／消灯が切り替えられる電源ボタン情報８０１〜除湿モードボタン情報８０６、およびボタン情報の操作時にポップアップ画面が表示されるロックボタン情報８１１およびオプションボタン情報８１２に関しては、タッチ操作中でもユーザが運転内容の変更を視認することができるため、これらのボタン情報は１つのエリアで構成することで、表示部５１２の限られた表示エリアの中に、これらのボタン情報を効率よく表示させることができる。
【００６２】
また、他の形態による個別空調機管理画面８０Ｂの表示例を、図７に示す。図７の個別空調機管理画面８０Ｂは縦長に構成されており、図４に示す横長の個別空調機管理画面８０Ａと同様の構成要素である電源ボタン情報８０１、自動運転モードボタン情報８０２、冷房モードボタン情報８０３、暖房モードボタン情報８０４、送風モードボタン情報８０５、除湿モードボタン情報８０６、設定温度情報８０７、設定温度変更ボタン情報８０８、風向変更ボタン情報８０９、風量変更ボタン情報８１０、ロックボタン情報８１１、およびオプションボタン情報８１２が、縦長の画面に収まるように表示されている。
【００６３】
これらのうち、風向を段階的に変更するための風向変更ボタン情報８０９は、その構成要素である風向第１エリア８０９−１と風向第２エリア８０９−２とが、個別空調機管理画面８０Ａにおける表示状態と同様に横方向に並べて表示される。また、風量を段階的に変更するための風量変更ボタン情報８１０は、その構成要素である風量第１エリア８１０−１と風量第２エリア８１０−２とが、横方向に並べて表示される。また、個別空調機管理画面８０Ａが表示されたときと同様に、個別空調機管理画面８０Ｂの左右には、その前後の空調機番号に対応する空調機の個別空調機管理画面８１Ｂ、８２Ｂの一部が表示されている。
【００６４】
このように、縦長の個別空調機管理画面８０Ｂにおいても、タッチ操作の都度、段階的に運転内容が変更される機能のボタン情報に関しては、図形情報の表示エリアとテキスト情報の表示エリアとを横方向に並べて表示させることで、管理者が操作したエリアの表示情報が指で隠れていても、他方のエリアの表示情報の変化を管理者が視認することができる。
【００６５】
以上の実施形態によれば、ユーザがタッチパネル上で空調機の運転内容を操作する際に、操作ボタンの位置に運転状態が表示されている場合であっても、操作による運転内容の変化を視認できるようにすることができる。
【００６６】
また、上述の実施形態においては、設備管理装置としてタブレット端末５０を用いた例を説明したが、中央管理装置としてのコントローラ２０にタッチパネルを搭載するとともに上述したＣＰＵ５２と同様の機能を搭載することにより、当該コントローラ２０を設備管理装置として構成しても良い。
【００６７】
上述した実施形態においては、１台の空調機１０に関する個別空調機管理画面を表示させ、当該画面上で、当該空調機１０の機能に関する運転内容を変更する場合について説明したが、複数の空調機に対応した空調機アイコンを操作して空調機管理画面を表示させ、当該画面上で同様の操作を行うことにより、対応する複数の空調機の機能に関する運転内容を一括して変更するようにしてもよい。
【００６８】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【図１】
2019229929.tif 000003
【図２】
2019229929.tif 000004
【図３】
2019229929.tif 000005
【図４】
2019229929.tif 000006
【図５】
2019229929.tif 000007
【図６】
2019229929.tif 000008
【図７】
2019229929.tif 000009
【国際調査報告】
2019229929.tif 000010
2019229929.tif 000011
2019229929.tif 000012
2019229929.tif 000013